(57)【要約】【課題】干渉に強く、通信品質の良い無線通信装置を提供することを目的とする。【解決手段】コードレス電話機の親機と子機は、複数の周波数帯域の中から一の周波数帯域のチャネルを選択的に切り替えて時分割多重により通信を行う。この通信は、複数の周波数帯域における全チャネルの受信電界強度を測定し、周波数帯域ごとに区分して受信電界強度データとして記憶しておき、通信のための第１および第２のチャネル・スロットを、受信電界強度データに基づいて良好とされるチャネル・スロットの中から選択することで、干渉に強く品質のよいチャネル・スロットを選択することができる。【選択図】図５
2010010880.tif 000002
【特許請求の範囲】
【請求項１】
複数の周波数帯域の中から一の周波数帯域のチャネルに含まれるスロットを選択的に切り替えて、他の無線通信装置からの２種以上の異なる周波数帯域の２つ以上のスロットで送信されたデータを受信する無線送受信部と、
前記受信したデータの受信エラーを検出して受信エラー情報として出力する受信エラー検出部と、
前記それぞれのスロットの受信エラー情報を比較し、良好なスロットのデータを受信データとして採用するダイバーシティ処理部とを備えたことを特徴とする無線通信装置。
【請求項２】
前記複数の周波数帯域における全チャネルの受信電界強度を測定し、周波数帯域ごとに区分して受信電界強度データとして記憶する受信電界強度データ処理部と、
前記受信電界強度データに基づいて良好と判定されたチャネルの中から第１のチャネルとして使用するチャネルを選択すると共に、前記第１のチャネルの周波数帯域以外の周波数帯域の中から第２のチャネルとして使用するチャネルを選択するチャネル選択部とを備えたことを特徴とする請求項１記載の無線通信装置。
【請求項３】
前記チャネル選択部は、前記受信電界強度データの中から最小値のチャネルを選択することを特徴とする請求項２記載の無線通信装置。
【請求項４】
前記受信電界強度データ処理部は、前記受信電界強度データに基づいて良好度合いの高いチャネルを周波数帯域ごとに良好チャネル優先情報として集計し、
前記チャネル選択部は、前記良好チャネル優先情報に基づいて良好度合いの高いチャネルの数が多い周波数帯域から順に前記第１のチャネルおよび第２のチャネルを選択することを特徴とする請求項２または３記載の無線通信装置。
【請求項５】
前記良好度合いは、測定された受信電界強度が所定の閾値よりも低い場合に、高いと設定されていることを特徴とする請求項４記載の無線通信装置。
【請求項６】
前記良好度合いは、無線通信におけるエラー発生頻度が低い場合に、高いと設定されていることを特徴とする請求項４記載の無線通信装置。
【請求項７】
前記チャネル選択部は、前記複数の周波数帯域に対して、それぞれに設定された優先順位に基づいて優先順位の高い帯域から順に前記第１のチャネルおよび第２のチャネルを決定することを特徴とする請求項２から６のいずれかの項に記載の無線通信装置。
【請求項８】
前記優先順位は、前記複数の周波数帯域の波長の長い順に設定されていることを特徴とする請求項７記載の無線通信装置。
【請求項９】
前記優先順位は、前記複数の周波数帯域の設定している送信電力を加味して設定されていることを特徴とする請求項７記載の無線通信装置。
【請求項１０】
前記受信エラー検出部は、前記受信したデータに対して付加された誤り検出符号により前記受信エラーを検出することを特徴とする請求項１から９のいずれかの項に記載の無線通信装置。
【発明の詳細な説明】
【技術分野】
【０００１】
本発明は、ＴＤＭＡ（Ｔｉｍｅ  Ｄｉｖｉｓｉｏｎ  Ｍｕｌｔｉｐｌｅ  Ａｃｃｅｓｓ）方式で通信する無線通信装置に関する。
【背景技術】
【０００２】
無線通信は、送信電波の電界強度や、装置間の距離、ノイズとなる干渉電波の存在が、通信品質に大きく影響する。
【０００３】
干渉電波についての対策の技術としては、例えば、特許文献１に記載されたダイバーシティ選択切替方式や、特許文献２に記載された携帯端末装置が知られている。
【０００４】
特許文献１に記載のダイバーシティ選択切替方式は、ＴＤＭＡ伝送方式で異なるスロットを使用して同じデータを伝送し、受信側でエラーの少ない方のデータを選択することで、時間的にも、空間的にも互いに相関が少ないデータを選択することができるので、品質のよいデータを得ることができるというものである。
【０００５】
また、特許文献２に記載の携帯端末装置は、データを複数に分割したパケットの各々を、複数の無線周波数帯域、例えば５ＧＨｚ帯と２．４ＧＨｚ帯とを同時に使用して伝送するというものである。
【特許文献１】特開平６−７７９４２号公報
【特許文献２】特開２００４−２２９０８７号公報
【発明の開示】
【発明が解決しようとする課題】
【０００６】
しかし、特許文献１に記載のダイバーシティ選択切替方式では、例えば、無線通信装置が使用している周波数帯域が２．４ＧＨｚ帯である場合では、同じ２．４ＧＨｚ帯にノイズを幅広く発生する電子レンジが近くで作動していると、２．４ＧＨｚ帯の全てのチャネルに干渉電波が発生してしまうので、異なるスロットを使用しても全部のスロットで受信エラーが発生するおそれがある。そうなると全く通信できない事態となる。
【０００７】
また、特許文献２に記載の携帯端末装置では、それぞれの周波数帯域に対応した複数の基地局、または複数の周波数帯域で送受信可能な１つの基地局と、異なる周波数帯域で同時に通信を行っているため、同時に２つ以上の周波数帯域での送信電波を出力する必要がある。従って、消費電力が大きくなってしまうので、例えば、携帯電話機やコードレス電話機の子機のようにバッテリで動作する無線通信装置では、動作時間が短くなってしまい無線通信装置の性能や品質に影響を与えてしまう。
【０００８】
そこで本発明は、干渉に強く、通信品質の良い無線通信装置を提供することを目的とする。
【課題を解決するための手段】
【０００９】
本発明の無線通信装置は、複数の周波数帯域の中から一の周波数帯域のチャネルに含まれるスロットを選択的に切り替えて、他の無線通信装置からの２種以上の異なる周波数帯域の２つ以上のスロットで送信されたデータを受信する無線送受信部と、受信したデータの受信エラーを検出して受信エラー情報として出力する受信エラー検出部と、それぞれのスロットの受信エラー情報を比較し、良好なスロットのデータを受信データとして採用するダイバーシティ処理部を備えたことを特徴とする。
【発明の効果】
【００１０】
本発明は、異なる周波数帯域で、かつ２つ以上のスロットで送信されたデータは、一方の周波数帯域にて干渉電波により受信エラーが発生しても、他の周波数帯域では正常に受信できる度合いが高いので、一の周波数帯域のスロットで通信できなくなっても、他の周波数帯域でのスロットで通信することが可能なので、干渉に強く、通信品質の良い無線通信装置とすることができる。
【発明を実施するための最良の形態】
【００１１】
本願の第１の発明は、それぞれ離れた複数の周波数帯域の中から一の周波数帯域のチャネルに含まれるスロットを選択的に切り替えて、他の無線通信装置から２つ以上のスロットを使って、各スロット毎に異なる周波数帯域から選択されたチャネルを使って送信されるデータを受信する無線送受信部と、受信したデータの受信エラーを検出して受信エラー情報として出力する受信エラー検出部と、それぞれのスロットの受信エラー情報を比較し、良好なスロットのデータを受信データとして採用するダイバーシティ処理部を備えたことを特徴としたものである。
【００１２】
この構成により個々のスロットを使って受信されたデータは、受信エラー検出部により受信エラーがチェックされる。受信エラーが検出されたときには、受信エラー情報が出力される。そして、ダイバーシティ処理部がそれぞれのスロットでの受信エラー情報を比較して、良好なスロットのデータを受信データとして選択する。従って、異なる周波数帯域で、かつ２つ以上のスロットで送信されたデータは、一方の周波数帯域にて干渉電波により受信エラーが発生しても、他の周波数帯域では正常に受信できる度合いが高いので、一の周波数帯域のスロットで通信できなくなっても、他の周波数帯域でのスロットで通信することが可能である。また、同時に異なる周波数帯域のデータを受信している訳ではないので、同時に受信するものと比較して無線送受信部の消費電力を低く抑えることができる。
【００１３】
本願の第２の発明は、第１の発明において、干渉検知のために、複数の周波数帯域における全チャネルの受信電界強度を測定し、周波数帯域ごとに区分して受信電界強度データとして記憶する受信電界強度データ処理部と、受信電界強度データに基づいて良好と判定されたチャネルの中から第１のチャネルとして使用するチャネルを選択すると共に、第１のチャネルの周波数帯域以外の周波数帯域の中から第２のチャネルとして使用するチャネルを選択するチャネル選択部とを備えたことを特徴としたものである。
【００１４】
第２の発明においては、複数の周波数帯域の中から一の周波数帯域を選択するときには、まず、受信電界強度データ処理部が、複数の周波数帯域における全チャネルの受信電界強度を測定し、周波数帯域ごとに区分して受信電界強度データとして記憶しておく。次に、チャネル選択部が、受信電界強度データに基づいて良好と判定されたチャネルの中から第１のチャネルとして使用するチャネルを選択すると共に、第１のチャネルの周波数帯域以外の周波数帯域の中から第２のチャネルとして使用するチャネルを選択する。そうすることで、第１および第２のチャネルは受信電界強度データに基づいて選択されているので、第１および第２のチャネルを良好なチャネルから選択することができる。
【００１５】
本願の第３の発明は、第２の発明において、チャネル選択部は、受信電界強度データの中から最小値のチャネルを選択することを特徴としたものである。
【００１６】
本願の第３の発明においては、受信電界強度データの中から最小値のチャネルを選択することで、第１および第２のチャネルとして最も良好なチャネルを選択することができる。
【００１７】
本願の第４の発明は、第２または第３の発明において、受信電界強度データ処理部は、受信電界強度データに基づいて良好度合いの高いチャネルを周波数帯域ごとに良好チャネル優先情報として集計し、チャネル選択部は、良好チャネル優先情報に基づいて良好度合いの高いチャネルの数が多い周波数帯域から順に第１のチャネルおよび第２のチャネルを選択することを特徴としたものである。
【００１８】
第４の発明においては、チャネル状態が良好であっても、同じ周波数帯域内の他のチャネルの状態が全体的に良好でなければ、干渉電波によってやがて通信が干渉を受ける可能性があるので、良好度合いの高いチャネルの数が多い周波数帯域から順に切り替え先のチャネルを選択することで、安定した通信を継続することができる周波数帯域を選択することができる。
【００１９】
本願の第５の発明は、第４の発明において、良好度合いは、測定された受信電界強度が所定の閾値よりも低い場合に、高いと設定されていることを特徴としたものである。
【００２０】
第５の発明においては、測定された受信電界強度が所定の閾値よりも低い場合に、良好度合いが高いと設定されていることにより、干渉電波の影響が少ない周波数帯域を選択することができる。
【００２１】
本願の第６の発明は、第４の発明において、良好度合いは、無線通信におけるエラー発生頻度が低い場合に、高いと設定されていることを特徴としたものである。
【００２２】
第６の発明においては、無線通信におけるエラー発生頻度が低い場合に、良好度合いが高いと設定されていることにより、干渉電波によるエラーの発生だけでなく、他の要因により発生するエラーの発生による影響も考慮することができる。
【００２３】
本願の第７の発明は、第２から第６のいずれかの発明において、チャネル選択部は、複数の周波数帯域に対して、それぞれに設定された優先順位に基づいて高い方から順に第１のチャネルおよび第２のチャネルを決定することを特徴としたものである。
【００２４】
第７の発明においては、複数の周波数帯域のそれぞれに設定された優先順位に基づいて高い方から順に第１および第２のチャネルを決定することで、所望とする周波数帯域へ優先的に割り当てることができる。
【００２５】
（実施の形態）
本発明の実施の形態に係る無線通信装置について、コードレス電話機を例に、図面に基づいて説明する。図１は、本発明の実施の形態に係るコードレス電話機の構成を示す図である。図２は、図１に示すコードレス電話機が使用する周波数帯域とチャネルとを示す図であり、（Ａ）は周波数帯域を示す図、（Ｂ）は周波数帯域とチャネル番号との対応を示す図である。
【００２６】
図１に示すコードレス電話機１０は、回線網Ｌと接続された１台の親機２０と、親機２０とＴＤＭＡ方式で通信する３台の子機３０（Ａ〜Ｃ）とを備えている。ここで用いられる親機２０と子機３０との間の無線通信方式は、上り／下りでそれぞれ６スロットずつを使用するもので、一つのフレームが１２個のスロットで構成される（図５参照）。
【００２７】
図５は、フレームの構成を示す図である。図５に示すフレーム構成例のように親機２０と子機３０（Ａ〜Ｃ）が通信を行うフレーム構成は、一つのフレームが１２個のスロットで構成されており、前半６スロットが親機受信スロット（子機送信スロットでもある）、後半６スロットが親機送信スロット（子機受信スロットでもある）として使用される。
【００２８】
本発明の実施の形態では、親機２０と子機３０間は同じデータを二つのスロットで送信し、受信側では良好なスロットの受信データを選択して音声処理を行なうスロットダイバーシティ通信を行う。図５の例では、一方の子機Ａは親機２０へスロット１，スロット２を使用して送信し、他方の子機Ｂは親機２０へスロット３，スロット４を使用して送信している。
【００２９】
また本発明の実施の形態では、親機２０と子機３０は、３つの異なる周波数帯域を使用して通信を行なう。具体的には、図２（Ａ）に示すように１．９ＧＨｚ帯（帯域１）と２．４ＧＨｚ帯（帯域２）と５．８ＧＨｚ帯（帯域３）の３つ周波数帯域で、同図（Ｂ）に示すようにそれぞれ５つのキャリア周波数（以下、チャネルと称す。）を割り当て、その中から使用するチャネルを選択して通信を行っている。
【００３０】
使用するチャネルはスロット毎に設定することが可能であり、スロットが変われば変更先のスロットで使用されるチャネルに切り替わる。以下、周波数軸上でのチャネルと、時間軸上でのスロットから成る２次元的なマトリックスをチャネル・スロットと呼ぶ（チャネル・スロット毎に受信電界強度が測定され、図８に示すように記録される）。ここでは、スロットダイバーシティで使用される、二つのチャネル・スロットの中の一つを第１のチャネル・スロット、他の一つを第２のチャネル・スロットと呼ぶ。
【００３１】
次に、親機２０と子機３０との構成を図３および図４に基づいて詳細に説明する。図３は、図１に示すコードレス電話機の親機の構成を示すブロック図である。図４は、図１に示すコードレス電話機の子機の構成を示すブロック図である。図３において、親機２０は、帯域１〜３用アンテナ１１ａ〜１１ｃと、無線送受信部１２と、通信制御部１３と、音声処理部２１とを備えている。
【００３２】
帯域１〜３用アンテナ１１ａ〜１１ｃは、それぞれの周波数帯域の電波を送受信するのに適した特性を備えたアンテナである。無線送受信部１２は、子機３０と無線通信する際に、帯域１〜３の中から一の周波数帯域を選択的に切り替えて子機３０と無線通信を行う。
【００３３】
通信制御部１３は、子機３０との無線通信を行うに際し、最適な周波数帯域を選択して無線送受信部１２へ使用するチャネル・スロットを指示する。使用する二つのチャネル・スロットの一方（第１のチャネル・スロット）と、他方（第２のチャネル・スロット）では、それぞれのチャネルが属する周波数帯域が異なるように設定する。
【００３４】
また使用するチャネル・スロットを変更する場合、通信制御部１３は後段で説明する判断処理によって切り替え先の周波数帯域を選び、第１および第２のチャネル・スロットのそれぞれのチャネルが属する周波数帯域が異なるように新たなチャネル・スロットを指示する。このようにスロットダイバーシティで使用される二つスロットでは必ず異なった周波数帯域のチャネルが使用される。
【００３５】
通信制御部１３は、送信制御データパケット処理部１３ａと、送信音声データパケット処理部１３ｂと、送信パケット作成部１３ｃと、受信パケット解析部１３ｄと、受信制御データパケット処理部１３ｅと、受信音声データパケット処理部１３ｆとを備えている。また、通信制御部１３は、受信電界強度データ処理部１３ｇと、エラー計数処理部１３ｈと、チャネル・スロット選択部１３ｉと、ダイバーシティ処理部１３ｊとを備えている。
【００３６】
以下に通信制御部１３内の各部について詳細に説明する。送信制御データパケット処理部１３ａは、通信制御用のデータに対して生成した誤り検出符号であるＣＲＣを付加する。送信音声データパケット処理部１３ｂは、音声データに対して生成したＣＲＣを付加する機能を備えている。
【００３７】
送信パケット作成部１３ｃは、送信制御データパケット処理部１３ａで生成した通信制御用データと、送信音声データパケット処理部１３ｂで生成した音声データを結合して無線送受信部１２により送信するためのパケットを生成する。
【００３８】
受信パケット解析部１３ｄは、無線送受信部１２を介して受信したパケットを解析すると共に、受信したパケットを制御用データと音声データに分離する。
【００３９】
受信制御データパケット処理部１３ｅは、通信制御用のデータを処理する。また受信制御データパケット処理部１３ｅは、通信制御用のデータに付加されたＣＲＣにより受信エラーを検出して受信エラーに対応した値（受信エラー値）を受信エラー情報として出力することで受信エラー検出部として機能する。
【００４０】
受信音声データパケット処理部１３ｆは、音声データを処理する機能を備えている。また、受信音声データパケット処理部１３ｆは、音声データに付加されたＣＲＣにより受信エラーを検出して受信エラーに対応した値（受信エラー値）を受信エラー情報として出力することで受信エラー検出部として機能する。
【００４１】
受信電界強度データ処理部１３ｇは、周波数帯域ごとのそれぞれのチャネルの各スロットの電界強度を測定して受信電界強度データとして記憶し、測定された電界強度の度合いに基づいて良好なスロットか否かを判定したり、良好なスロットを集計してスロットの優先度を設定したりする。
【００４２】
エラー計数処理部１３ｈは、受信エラーが発生したときに、エラーカウンタをカウントアップする。
【００４３】
チャネル・スロット選択部１３ｉは、受信電界強度データに基づいて良好と判定されたチャネルの中から第１のチャネルとして使用するチャネルを選択すると共に、第１のチャネルの周波数帯域以外の周波数帯域の中から第２のチャネルとして使用するチャネルを選択する。
【００４４】
ダイバーシティ処理部１３ｊは、それぞれのスロットの受信エラー情報を比較し、良好なスロットのデータを受信データとして採用する。親機２０であればダイバーシティ処理部１３ｊで採用された受信データは音声処理部２１を介して回線網Ｌへ送り出される。子機３０であればダイバーシティ処理部１３ｊで採用された受信データは音声処理部３１へ送られる。
【００４５】
親機２０の音声処理部２１は、通信制御部１３からの音声データをスピーチデコーダ２１ａにより復号化して回線出力部２１ｂを介して回線網Ｌに出力したり、回線網Ｌから回線入力部２１ｃを介して入力した信号をスピーチエンコーダ２１ｄにより音声データに符号化したりして通信制御部１３へ出力する。
【００４６】
なお、本実施の形態では、親機２０が回線網Ｌに接続されたコードレス電話機１０であるが、音声処理部２１がインターネットに接続されていることで、コードレス電話機をＩＰ電話機とすることも可能である。
【００４７】
次に、子機３０を図４に基づいて説明する。但し、図３に示す親機２０においては音声の入出力部が回線網Ｌであるのに対し、子機３０における音声入出力部はスピーカＳＰおよびマイクＭＩＣである。図３に示す親機２０と子機３０はこの音声入出力部の点を除いて、ＴＤＭＡ通信を行うための構成はほぼ同じであるから、同じ機能を有するものは同符号を付して親機２０側での説明のみ行い、以下の子機３０側の説明では省略する。なお親機２０と子機３０がＴＤＭＡ通信を行う場合はマスタ／スレーブの関係となり、親機２０はマスタ、子機３０はスレーブとなる。
【００４８】
子機３０は、帯域１〜３用アンテナ１１ａ〜１１ｃと、無線送受信部１２と、通信制御部１３と、音声処理部３１とを備えている。
【００４９】
音声処理部３１は、通信制御部１３からの音声データをスピーチデコーダ３１ａにより復号化してスピーカＳＰに出力したり、マイクＭＩＣを介して入力した信号をスピーチエンコーダ３１ｂにより音声データに符号化して通信制御部１３へ出力する。
【００５０】
以上のように構成された本発明の実施の形態に係るコードレス電話機の動作を図５から図１８に基づいて説明する。
【００５１】
図５の例では、一方の子機Ａは親機２０へスロット１，スロット２を使用して送信し、他方の子機Ｂは親機２０へスロット３，スロット４を使用して送信している。また、親機２０は、子機Ａへスロット７，スロット８を使用して送信し、子機Ｂへスロット９，スロット１０を使用して送信している。
【００５２】
本実施の形態では、親機２０と子機３０との間で通信する所定のチャネルにおける２つのスロットを第１のチャネル・スロットおよび第２のチャネル・スロットと称する。
【００５３】
親機２０または子機３０の通信制御部１３は、通信に使用する第１のチャネル・スロットおよび第２のチャネル・スロットの割り当てを行うために、待機時に良好チャネル情報記憶手順（図６）を実行することによって、それぞれの周波数帯域（帯域１〜３）の各チャネルの各スロットについて受信電界強度を測定するバックグランドスキャンが行われる。このバックグランドスキャンの結果に応じて、チャネル・スロット選択部１３ｉにより第１のチャネル・スロットおよび第２のチャネル・スロットの割り当てを行う。
【００５４】
図６は、良好チャネル情報記憶手順を示すフローチャートである。親機２０と子機３０は、バックグランドスキャンの中で各受信スロットにおいて電界強度を測定することによって良好チャネル情報を記録する。なお図７は、チャネル・スロット受信電界強度マップを示す図、図８は、良好チャネル・スロットマップを示す図、図９は、エラーチャネル・スロットマップを示す図である。
【００５５】
図６において、まずエラー計数処理部１３ｈはＳ１１０にて所定のスロットの電界強度を測定する。この測定は受信電界強度データ処理部１３ｇが無線送受信部１２へ指示することにより行われる。
【００５６】
測定した結果は、図７に示すチャネル・スロット受信電界強度マップとして受信電界強度データ処理部１３ｇに記憶される。このチャネル・スロット受信電界強度マップは、測定された電界強度を受信電界強度データとして、周波数帯域ごとに区分されたチャネル番号に対応させてスロットごとに記憶されたテーブルである。Ｓ１１０で測定された電界強度は、このチャネル・スロット受信電界強度マップの該当する箇所に記憶される。
【００５７】
図７の例では、それぞれの周波数帯域ごとの全てのチャネル・スロットのバックグランドスキャンが行われた後を示しており、チャネル・スロット受信電界強度マップのそれぞれの箇所に電界強度が記憶されている。
【００５８】
そして、受信電界強度データ処理部１３ｇは、Ｓ１２０にて測定された受信電界強度が所定の値よりも低いか否かを判定する。所定の値よりも低いと判定された場合には、干渉電波が無いあるいは少ないと判断できるので、Ｓ１３０にて良好度合いが高い良好チャネル・スロットとしてマーキングを行う。図６のＳ１３０におけるマーキングは、図８に示す良好チャネル・スロットマップとして記憶される。つまり、該当する周波数帯域のチャネル番号の各スロットのそれぞれの電界強度が、所定の値よりも低ければ良好、所定の値以上であれば不良として記憶される。これら所定の値は適宜決定することができる。
【００５９】
図６のＳ１２０にて測定された電界強度が所定の値以上であると判定された場合には、測定されたチャネルのスロットにおいて干渉電波が検知されたということなので、Ｓ１４０にて良好度合いが低い不良チャネル・スロットとして不良のマーキングを行う。
【００６０】
そして、受信電界強度データ処理部１３ｇは、Ｓ１５０にてエラーカウンタのアップを行う。このエラーカウンタのアップは、Ｓ１２０にて測定された電界強度が所定の値以上との判定を受けてカウントアップされるもので、図９に示すエラーチャネル・スロットマップとして受信電界強度データ処理部１３ｇ内に記憶される。つまり、無線通信で発生するＣＲＣエラー以外に、干渉電波を測定する電界強度測定において干渉電波が測定された場合にはエラーとしてカウントアップする。
【００６１】
このようにして良好チャネル・スロットマップまたはエラーチャネル・スロットマップの更新を行う（Ｓ１６０）。
【００６２】
良好チャネル情報記憶手順が終了すると、良好周波数帯域情報記憶手順が実行される。
【００６３】
図１０は、良好周波数帯域情報記憶手順を示すフローチャートである。図１０に示す良好周波数帯域情報記憶手順は、まず、受信電界強度データ処理部１３ｇが、Ｓ２１０にて周波数帯域ごとの良好チャネル・スロットの総数によりこの周波数帯域の良好度合いを判定するとの設定がされている否かを判定し、良好チャネル・スロットの総数から判定するとの設定であればＳ２２０へ移行する。
【００６４】
Ｓ２２０では、受信電界強度データ処理部１３ｇが良好チャネル・スロットマップからデータを取得する。Ｓ２３０にて、良好チャネル・スロットマップのそれぞれのデータに基づいて良好のマーキングの集計を周波数帯域ごとに行って、良好のマーキングによる良好チャネル・スロット優先情報を算出する。図８の例では、帯域１では良好チャネル・スロット優先情報は２０、帯域２では３０、帯域３では２５となっており、帯域２が最も総数が多いので優先度が高く、帯域１が最も総数が少ないので優先度が低くなる。
【００６５】
図８および図９に示すようにチャネル・スロット受信電界強度マップや良好チャネル・スロットマップは、帯域１〜３の中の各チャネルを周波数軸上の最小単位と、さらにＴＤＭＡの各スロットを時間軸上の最小単位として電界強度を測定し、２次元上で良好／不良のマーキングを行っている。このように時間軸上でもスロット毎にマーキングすることにより、周囲からの干渉電波の状況が細かく把握でき、正確に第１および第２のチャネルの選択の際の状態を判断することが可能となる。
【００６６】
Ｓ２４０にて、受信電界強度データ処理部１３ｇは、集計された良好チャネル・スロット優先情報に基づいて総数が多い順番に周波数帯域の優先度を高くするように設定する。図８の例では、帯域２が最も総数が多いので優先度が高く、帯域１が最も総数が少ないので優先度が低いと設定されている。
【００６７】
Ｓ２１０にて、良好チャネル・スロットの総数から判定しないとの設定であればＳ２５０へ移行する。
【００６８】
Ｓ２５０にて、受信電界強度データ処理部１３ｇがエラーチャネル・スロットマップからデータを取得する。Ｓ２６０にて、エラーチャネル・スロットマップのそれぞれのエラーカウンタに基づいて集計を周波数帯域ごとに行って、エラーカウンタによる良好チャネル・スロット優先情報を算出する。図９の例では、帯域１では１４、帯域２では３、帯域３では９となっている。
【００６９】
Ｓ２７０にて、受信電界強度データ処理部１３ｇは、集計された良好チャネル・スロット優先情報に基づいて総数が少ない順番に周波数帯域の優先度を高くするように設定する。図９の例では、帯域１が最も総数が多いので優先度が低く、帯域２が最も総数が少ないので優先度が高いと設定されている。
【００７０】
このようにして、良好チャネル情報記憶手順および良好周波数帯域情報記憶手順により、それぞれの周波数帯域の各チャネルの各スロットについて、受信電界強度を測定し、測定された受信電界強度に基づいて、チャネル・スロット受信電界強度マップ、良好チャネル・スロットマップおよびエラーチャネル・スロットマップを生成する。
【００７１】
次に、第１のチャネル・スロットおよび第２のチャネル・スロットの割り当てを行う。
【００７２】
図１１は、チャネル・スロット選択部１３ｉにより処理される通信スロット準備手順を示すフローチャートである。また図１２から図１４は、チャネル・スロット選択手順Ａ〜Ｃを示すフローチャートである。チャネル・スロット選択手順フラグに応じてチャネル・スロット選択手順Ａ，Ｂ，Ｃが切り替えられる。
【００７３】
図１１において、まずＳ１０１０およびＳ１０２０にてチャネル・スロット選択手順フラグの値を判定する。例えば、チャネル・スロット選択手順フラグが１であればＳ１０１０からＳ１０３０へ移行し、チャネル・スロット選択手順Ａを実行する。また、チャネル・スロット選択手順フラグが２であればＳ１０２０からＳ１０４０へ移行し、チャネル・スロット選択手順Ｂを実行する。チャネル・スロット選択手順フラグが１以外で、かつ２以上であればＳ１０２０からＳ１０５０へ移行し、チャネル・スロット選択手順Ｃを実行する。これらのチャネル・スロット選択手順Ａ〜Ｃが実行されることで、まず第１のチャネル・スロットが選択される。なお本実施の形態では、まず第１のチャネル・スロットの選択を行った後に、第２のチャネル・スロットの選択が行われる。
【００７４】
次いで、Ｓ１０６０にて第２のチャネル・スロットは選択済みか否かを判定する。第１のチャネル・スロットが選択されただけ（第２のチャネル・スロットは未選択）であれば、Ｓ１０１０へ移行して、第１のチャネル・スロットを選択した場合と同様の手順で、第２のチャネル・スロットの選択を行う。
【００７５】
ここで、Ｓ１０３０にて処理されるチャネル・スロット選択手順Ａについて、図１２に基づいて説明する。
【００７６】
チャネル・スロット選択手順Ａは、まずＳ３１０にてその回の選択手順が第１のチャネル・スロットの選択の為か否かを判定する。その回の選択手順が第１のチャネル・スロットの選択の為である場合（はい）には、Ｓ３２０にてチャネル・スロット受信電界強度マップ（図７参照）の中で最も受信電界強度の低い周波数帯域のチャネル・スロットを取得する。図７に示す例では、帯域２のチャネル番号８のスロット１が最も低い値（−９０ｄＢｍ）である。チャネル・スロット選択部１３ｉは、これを第１のチャネル・スロットとして選択する。
【００７７】
Ｓ３１０にて第１のチャネル・スロットの選択の為でない（いいえ）と判定された場合には、Ｓ３３０にて第２のチャネル・スロットの選択として、第１のチャネル・スロットで割り当てた周波数帯域以外の帯域で、かつチャネル・スロット受信電界強度マップ（図７参照）の中で最も受信電界強度の低い周波数帯域のチャネル・スロットを取得する。つまり、第１のチャネル・スロットとして帯域２のチャネル番号８のスロット１（−９０ｄＢｍ）を選択した場合には、その他の帯域１または帯域３のいずれかのチャネルで、かつスロット１以外の受信電界強度が−８５ｄＢｍのスロットの中から選択して第２のチャネル・スロットとして設定する。
【００７８】
このように周波数帯域が異なる第１，２のチャネル・スロットを選択することで、通信環境が現時点で最もよいチャネル・スロットをそれぞれ選択することができる。
【００７９】
次に、Ｓ１０４０にて処理されるチャネル・スロット選択手順Ｂについて、図１３に基づいて説明する。
【００８０】
チャネル・スロット選択手順Ｂは、まずＳ４１０にて良好チャネル・スロットマップ（図８参照）に、良好チャネル・スロットが存在するか否かを判定する。良好チャネル・スロットが存在しない場合には、Ｓ４２０にて前述のチャネル・スロット選択手順Ａを処理して第１，２のチャネル・スロットを選択して処理を終了する。
【００８１】
Ｓ４１０にて良好チャネル・スロットが存在する場合には、Ｓ４３０にてその回の選択手順が第１のチャネル・スロットの選択の為か否かを判定する。第１のチャネル・スロットの選択の為である場合（はい）には、Ｓ４４０にて前述の良好周波数帯域情報記憶手順で設定された良好のマーキングによる良好チャネル・スロット優先情報（図８参照）、またはエラーカウンタによる良好チャネル・スロット優先情報（図９参照）により設定された順番を取得する。
【００８２】
そして、Ｓ４５０にて、この順番で最も順位が高い周波数帯域で、最も受信電界強度の低いチャネル・スロットをチャネル・スロット受信電界強度マップから取得し、該当するチャネル・スロットを第１のチャネル・スロットとする。
【００８３】
そして、Ｓ４３０にて第１のチャネル・スロットの選択の為でない（いいえ）と判定された場合には、Ｓ４６０にて良好周波数帯域情報記憶手順で設定された良好のマーキングによる良好チャネル・スロット優先情報、またはエラーカウンタによる良好チャネル・スロット優先情報により設定された順番を取得する。
【００８４】
そして、Ｓ４７０にて、第１のチャネル・スロットで割り当てられた周波数帯域以外の最も優先順位が高い周波数帯域で、最も受信電界強度の低いチャネル・スロットをチャネル・スロット受信電界強度マップから取得して、該当するチャネル・スロットを第２のチャネル・スロットとする。
【００８５】
このように受信電界強度データに基づいて良好と判定されたチャネルの中か周波数帯域が異なる第１，２のチャネル・スロットを選択することで、全体的に良好な周波数帯域を選択することができる。特に、良好のマーキングに基づいて算出された良好チャネル・スロット優先情報による優先度であれば、測定された受信電界強度に基づいて良好度合いを決めることができるので、現時点での干渉電波の影響が少ない周波数帯域を選択することができる。また、エラーカウンタに基づいて算出された良好チャネル・スロット優先情報による優先度であれば、エラーカウンタの集計数が少ないことに基づいて良好度合いを決めることができるので、統計的な観点から干渉電波の影響が少ない周波数帯域を選択することができる。
【００８６】
次に、Ｓ１０５０にて処理されるチャネル・スロット選択手順Ｃについて、図１４に基づいて説明する。チャネル・スロット選択手順Ｃでは、通話可能距離優先モードであるか、または干渉回避優先モードであるかの設定情報に従ってチャネル・スロットを選択する。
【００８７】
チャネル・スロット選択手順Ｃは、まずＳ５１０にてその回の第１のチャネル・スロットの選択の為か否かを判定する。第１のチャネル・スロットの選択の為である場合（はい）には、Ｓ５２０にて通話可能距離優先モードか否かを判定する。この通話可能距離優先モードか否かは予め設定されている。
【００８８】
通話可能距離優先モードである場合には、Ｓ５３０にて通話可能距離優先順位の高い周波数帯域のチャネル・スロットを第１のチャネル・スロットと設定する。
【００８９】
Ｓ５２０にて通話可能距離優先モードでないと判定された場合には、Ｓ５４０にて干渉回避優先モードであるか否かを判定する。この干渉回避優先モードか否かは予め設定されている。
【００９０】
干渉回避優先モードである場合には、Ｓ５５０にて干渉回避優先順位の高い周波数帯域のチャネル・スロットを第１のチャネル・スロットとする。
【００９１】
Ｓ５４０にて干渉回避優先モードでないと判定された場合には、Ｓ５６０にてチャネル・スロット選択手順Ａを実行する。
【００９２】
Ｓ５１０にて第１のチャネル・スロットの選択の為でない（いいえ）と判定された場合には、Ｓ５７０にて通話可能距離優先モードか否かを判定する。通話可能距離優先モードである場合には、Ｓ５８０にて第１のチャネル・スロットで割り当てた周波数帯域以外で、最も通話可能距離優先順位の高い周波数帯域のチャネル・スロットを第２のチャネル・スロットに設定する。
【００９３】
通話可能距離優先モードでない場合には、Ｓ５９０にて干渉回避優先モードであるか否かを判定する。干渉回避優先モードであると判定された場合には、Ｓ６００にて第１のチャネル・スロットで割り当てた周波数帯域以外で、最も干渉回避優先順位の高い周波数帯域のチャネル・スロットを第２のチャネル・スロットに設定する。
【００９４】
Ｓ５９０にて干渉回避優先モードでないと判定された場合には、Ｓ６０１にてチャネル・スロット選択手順Ａを処理して第１，２のチャネル・スロットを選択して処理を終了する。すなわち通話可能距離優先モードでも干渉回避優先モードでも無い場合にはチャネル・スロット選択手順Ａを処理して第１，２のチャネル・スロットを選択する。
【００９５】
ここで、通話可能距離優先順位について詳述する。一般に周波数が低いほど（波長の長いほど）、同じ送信出力であれば比較的に到達距離が長い。本実施の形態では、周波数帯域（帯域１〜３）として、１．９ＧＨｚ帯と２．４ＧＨｚ帯と５．８ＧＨｚ帯の３つ周波数帯域を使用しており、送信電力が等しいと想定すると周波数帯域１（１．９ＧＨｚ帯）の通話可能距離が最も長く、周波数帯域３（５．８ＧＨｚ帯）の通話可能距離が最も短い。通話可能距の順位は帯域１〜３で通話できる距離が長い順番であり、通話可能距離優先順位としては、帯域１が優先度が高く、次に帯域２、そして帯域３の順番となる。従って、通話可能距離優先モードでは、第１，２のチャネル・スロットとして第１のチャネル・スロットの帯域を通話可能距離優先順位の１番目（帯域１：１．９ＧＨｚ帯）とし、第２のチャネル・スロットの帯域を通話可能距離優先順位の２番目（帯域２：２．４ＧＨｚ帯）として割り当てることにより、親機２０と子機３０との間の距離を長くすることができる。
【００９６】
次に、干渉回避優先順位について詳述する。干渉回避優先順位は、干渉し難さの順番である。例えば、帯域２の２．４ＧＨｚ帯には電子レンジや無線ＬＡＮであるＷｉ−Ｆｉなどの干渉電波源となるものが多く存在する。また、１．９ＧＨｚ帯は割り当て可能なチャネル数が少なく、通信規格によっては、５チャネルしか割り当てられていないため、干渉電波による影響が多大である。
【００９７】
従って、本実施の形態では、干渉回避優先順位として、帯域３が優先度が高く、次に帯域１、そして帯域２の順番としている。従って、干渉回避優先モードでは、第１，２のチャネル・スロットとして、第１のチャネル・スロットの帯域を干渉回避優先順位の１番目（帯域３：５．８ＧＨｚ帯）とし、第２のチャネル・スロットの帯域を干渉回避優先順位の２番目（帯域１：１．９ＧＨｚ帯）として割り当てることにより、干渉しにくい環境を整えることができる。
【００９８】
以上のようにＳ５８０またはＳ６００にて第２のチャネル・スロットの選択が終了すると、Ｓ１０６０（図１１）では選択済みと判定され、Ｓ１０７０へ移行する。
【００９９】
Ｓ１０７０では選択された第１のチャネル・スロットで通信が行われる。またＳ１０８０では選択された第２のチャネル・スロットで通信が行われる。そして、Ｓ１０９０にて通信フレーム内処理手順が実行される。
【０１００】
図１５は、通信中フレーム内処理手順を示すフローチャートである。次に図１５に基づいて、通信中におけるフレーム内処理手順について説明する。通信中フレーム内処理手順は、まず、エラー計数処理部１３ｈが、Ｓ６１０にて一定時間が経過したか否かを判断する。この一定時間については、バックグランドスキャンが全周波数帯域の全チャネルの全スロットについて一巡する間とするのが望ましい。Ｓ６１０にて一定時間が経過したと判定される場合には、Ｓ６２０にてエラー計数処理部１３ｈは該当するチャネルのスロットのエラーカウンタをカウントダウンする。この一定期間経過したことを契機にエラー計数処理部１３ｈがエラーカウンタをカウントダウンする処理について、詳細は後述する。
【０１０１】
次に、通信制御部１３は、Ｓ６３０にてデータ通信の受信スロットか否かを判定する。つまり、親機２０であれば図５に示すスロット０〜５であるか否かを判定する。Ｓ６３０での判定が受信スロットではないとの判定である場合には、Ｓ６４０へ移行する。Ｓ６４０では、受信電界強度データ処理部１３ｇにより電界強度測定用受信スロットか否かが判定される。電界強度測定用受信スロットであると判定された場合には、Ｓ６５０にて受信電界強度データ処理部１３ｇにより良好チャネル情報記憶手順が実行される。Ｓ６４０にて電界強度測定用受信スロットでないと判定された場合には、処理を終了する。
【０１０２】
良好チャネル情報記憶手順では、図６を参照しながら詳述したように、受信電界強度を測定して、チャネル・スロット受信電界強度マップ（図７参照）および良好チャネル・スロットマップの内容を更新する。
【０１０３】
次に、Ｓ６６０にて良好周波数帯域情報記憶手順が実行される。この良好周波数帯域情報記憶手順では、図１０を参照しながら詳述したように、周波数帯域ごとの優先順位を、良好チャネル・スロットマップの良好のマーキングから決定したり、エラーチャネル・スロットマップのエラーカウンタの値から決定したりする。
【０１０４】
Ｓ６３０での判定が、親機２０であれば図５に示すスロット０〜５のデータ通信の受信スロットであるとの判定である場合には、Ｓ６７０にて第１のチャネル・スロットでの受信を行う。第１のチャネル・スロットでの受信を行うと、Ｓ６８０にてエラー比較情報保存手順が実行される。
【０１０５】
図１６は、エラー比較情報保存手順を示すフローチャートである。図１６に示すエラー比較情報保存手順では、ダイバーシティ処理部１３ｊによりまずＳ８１０にて第１のチャネル・スロットか否かが判定される。この場合、第１のチャネル・スロットなのでＳ８２０へ移行して受信エラーが検出されたか否かが判定される。
【０１０６】
図１７は、スロットフォーマットを示す図である。ここで受信エラーおよび受信エラー値について、図１７に基づいて説明する。
【０１０７】
図１７に示すように、受信エラーは、受信制御データパケット処理部１３ｅにより、シンクワードとこのシンクワードに付与されたＣＲＣ（図示せず）とを検査することで検出される同期エラーと、通信データとこの通信データに付与されたＣＲＣとを検査することで検出されるパケットエラーとがある。なお、本実施の形態では、誤り検出符号としてＣＲＣを採用しているが、受信エラーを検出できる符号であれば、他の誤り検出符号を採用することも可能である。また、誤り検出符号は、受信エラーが検出できるだけでなく、かつ誤りを訂正することが可能な符号であってもよい。
【０１０８】
本実施の形態では、通信データが音声データである場合には、音声データを４つに分割したサブパケットにそれぞれＣＲＣを付与したものを１つのパケットとしている。つまり、サブパケットごとに検査されることで、パケットエラーは１つのサブパケットエラーから最大４つのサブパケットエラーがある。エラー計数処理部１３ｈでは、シンクエラーが発生した場合には受信エラー値として１を、サブパケットエラーが発生した場合には受信エラーが発生したサブパケットの数に応じて受信エラー値を１から４までとしている。受信エラーが発生していない場合には、当然、受信エラー値は０である。
【０１０９】
従って、Ｓ８２０にて受信エラーが検出されなかった場合には、Ｓ８３０にて受信エラー値として０が代入される。
【０１１０】
Ｓ８２０にて受信エラーが検出された場合には、Ｓ８４０にて図９に示すエラーチャネル・スロットマップの該当するチャネル・スロットのエラーカウンタをエラー計数処理部１３ｈがカウントアップする。
【０１１１】
次にＳ８５０にて第１のチャネル・スロットの受信エラー値を受信制御データパケット処理部１３ｅおよび受信音声データパケット処理部１３ｆから取得し、Ｓ８６０にて第１のチャネル・スロットの受信エラー値として保存する。
【０１１２】
このようにして第１のチャネル・スロットを受信したときのエラーカウンタのカウントアップと受信エラー値の設定を行う。
【０１１３】
次に、図１５に示すＳ６９０にて第２のチャネル・スロットでの受信を行う。第２のチャネル・スロットでの受信を行うと、Ｓ７００にてエラー比較情報保存手順が実行される。
【０１１４】
図１６に示すエラー比較情報保存手順では、ダイバーシティ処理部１３ｊによりまずＳ８１０にて第１のチャネル・スロットか否かが判定されるが、この場合、第２のチャネル・スロットなのでＳ８７０へ移行して受信エラーが検出されたか否かが判定される。受信エラーが検出されなかった場合には、Ｓ８８０にて受信エラー値として０が代入される。
【０１１５】
Ｓ８７０にて受信エラーが検出された場合には、Ｓ８９０にて図９に示すエラーチャネル・スロットマップの該当するエラーカウンタをエラー計数処理部１３ｈがカウントアップする。
【０１１６】
エラーチャネル・スロットマップの各エラーカウンタは、受信エラー等の発生でカウントアップされることで、良好周波数帯域情報記憶手順（図１０参照）では、周波数帯域ごとに割り当てられる優先順位が下がることになる。このようにカウントアップされるエラーカウンタは、図１５に示すＳ６１０にて一定期間が経過することでＳ６２０により全部のチャネル・スロットのエラーカウンタがカウントダウンされる。一時的な通信不良の場合、例えば干渉電波による場合は、時間の経過により通信不良が解消することが多いのでエラーカウンタを元に戻しても問題ない場合がある。このようにある程度の期間で自動的にエラーカウンタをカウントダウンさせることにより、干渉電波による影響が無くなる等の周囲の状況の変化に応じて優先順位を復帰させることができる。
【０１１７】
次にエラー計数処理部１３ｈは、Ｓ９００にて受信エラー値を受信制御データパケット処理部１３ｅおよび受信音声データパケット処理部１３ｆから取得し、Ｓ９１０にて第２のチャネル・スロットの受信エラー値として保存する。
【０１１８】
このようにして第２のチャネル・スロットを受信したときのエラーカウンタのカウントアップと受信エラー値の設定を行う。
【０１１９】
次にダイバーシティ処理部１３ｊは、図１５に示すＳ７１０にてスロットダイバーシティ処理手順を実行する。
【０１２０】
図１８は、スロットダイバーシティ処理手順を示すフローチャートである。スロットダイバーシティ処理手順は、図１８に示すように、Ｓ９２０にて第１のチャネル・スロットの受信エラー値と、第２のチャネル・スロットの受信エラー値をエラー計数処理部１３ｈから読み込み比較する。比較した結果、第１のチャネル・スロットの受信エラー値が第２のチャネル・スロットの受信エラー値以下であれば、Ｓ９３０にて第１のチャネル・スロットの受信データを選択し、親機２０であれば音声処理部２１による音声処理を行い、子機３０であれば音声処理部３１による音声処理を行う。
【０１２１】
Ｓ９２０にて、第２のチャネル・スロットの受信エラー値が第１のチャネル・スロットの受信エラー値より小さければ、Ｓ９４０にて第２のチャネル・スロットの受信データを選択し、第１のチャネル・スロットのときと同様に、親機２０であれば音声処理部２１による音声処理を行い、子機３０であれば音声処理部３１による音声処理を行う。
【０１２２】
このように、例えば、１．９ＧＨｚ帯と２．４ＧＨｚ帯との異なる周波数帯域で、かつ２つのスロットで送信されたデータは、一方の周波数帯域にて干渉電波により受信エラーが発生しても、他の周波数帯域では正常に受信できる度合いが高いので、一の周波数帯域のスロットで通信できなくなっても、他の周波数帯域でのスロットで通信することが可能である。また、同時に異なる周波数帯域のデータを受信している訳ではないので、同時に受信するものと比較して無線送受信部１２の消費電力を低く抑えることができる。
【０１２３】
以上、本発明の実施の形態について説明してきたが、本発明は前記実施の形態に限定されるものではなく、例えば、第１および第２のチャネル・スロットをスロット単位とせずにチャネル単位とすることも可能である。
【０１２４】
また、本実施の形態では、無線通信装置としてコードレス電話機を例に説明したが、例えば携帯電話機と基地局との間の通信などのように、無線通信装置同士の間で時分割通信を行うものであれば、本発明を適用することで同じ効果を得ることができる。
【０１２５】
また、送信電力が等しい場合は波長の長い帯域１（１．９ＧＨｚ帯）の通話可能距離が最も長く、波長が短くなるほど通話可能距離が短くなるので、本実施の形態では帯域１〜３の中で波長の長い順で優先順位を設定している。しかし周波数帯域で送信電力が異なる場合には、優先順位と周波数帯域との関係は異なって良い。各周波数帯における設定できる送信電力は国毎の無線規格により規定されており、国によっては、ある周波数帯では他の周波数帯に比べて送信電力を低く設定する必要がある。その場合は、波長が長くても通話距離が確保できないので、波長のみではなく送信電力も加味して周波数帯の優先順位をつけるのが望ましい。
【産業上の利用可能性】
【０１２６】
本発明は、干渉に強く、通信品質が良いので、ＴＤＭＡ方式で通信する無線通信装置に好適ある。
【図面の簡単な説明】
【０１２７】
【図１】本発明の実施の形態に係るコードレス電話機の構成を示す図
【図２】図１に示すコードレス電話機が使用する周波数帯域とチャネルとを示す図
【図３】図１に示すコードレス電話機の親機の構成を示すブロック図
【図４】図１に示すコードレス電話機の子機の構成を示すブロック図
【図５】フレームの構成を示す図
【図６】良好チャネル情報記憶手順を示すフローチャート
【図７】チャネル・スロット受信電界強度マップを示す図
【図８】良好チャネル・スロットマップを示す図
【図９】エラーチャネル・スロットマップを示す図
【図１０】良好周波数帯域情報記憶手順を示すフローチャート
【図１１】通信スロット準備手順を示すフローチャート
【図１２】チャネル・スロット選択手順Ａを示すフローチャート
【図１３】チャネル・スロット選択手順Ｂを示すフローチャート
【図１４】チャネル・スロット選択手順Ｃを示すフローチャート
【図１５】通信中フレーム内処理手順を示すフローチャート
【図１６】エラー比較情報保存手順を示すフローチャート
【図１７】スロットフォーマットを示す図
【図１８】スロットダイバーシティ処理手順を示すフローチャート
【符号の説明】
【０１２８】
１〜３    帯域
１０    コードレス電話機
１１ａ    帯域１用アンテナ
１１ｂ    帯域２用アンテナ
１１ｃ    帯域３用アンテナ
１２    無線送受信部
１３    通信制御部
１３ａ    送信制御データパケット処理部
１３ｂ    送信音声データパケット処理部
１３ｃ    送信パケット作成部
１３ｄ    受信パケット解析部
１３ｅ    受信制御データパケット処理部
１３ｆ    受信音声データパケット処理部
１３ｇ    受信電界強度データ処理部
１３ｈ    エラー計数処理部
１３ｉ    チャネル・スロット選択部
１３ｊ    ダイバーシティ処理部
２０    親機
２１    音声処理部
２１ａ    スピーチデコーダ
２１ｂ    回線出力部
２１ｃ    回線入力部
２１ｄ    スピーチエンコーダ
３０    子機Ａ〜Ｃ
３１    音声処理部
３１ａ    スピーチデコーダ
３１ｂ    スピーチエンコーダ
ＳＰ    スピーカ
ＭＩＣ    マイク
【図１】
2010010880.tif 000003
【図２】
2010010880.tif 000004
【図３】
2010010880.tif 000005
【図４】
2010010880.tif 000006
【図５】
2010010880.tif 000007
【図６】
2010010880.tif 000008
【図７】
2010010880.tif 000009
【図８】
2010010880.tif 000010
【図９】
2010010880.tif 000011
【図１０】
2010010880.tif 000012
【図１１】
2010010880.tif 000013
【図１２】
2010010880.tif 000014
【図１３】
2010010880.tif 000015
【図１４】
2010010880.tif 000016
【図１５】
2010010880.tif 000017
【図１６】
2010010880.tif 000018
【図１７】
2010010880.tif 000019
【図１８】
2010010880.tif 000020